(57)【要約】【課題】類似ＡＲマーカーや色違いのＡＲマーカーを識別して多種のコンテンツを表示可能なコンテンツ表示装置等を提供する。【解決手段】カメラ付き端末３のカメラにより、電子透かし入りマーカーが撮像されると、撮像画像から電子透かしコードが抽出され、データベース７を検索して、電子透かしコードに紐づくコンテンツ９が抽出され、カメラ付き端末３の表示部３６に、ＡＲマーカー画像の位置状況に応じてコンテンツ９が表示される。【選択図】図１
2014219822.tif 000002
【特許請求の範囲】
【請求項１】
マーカー画像及び電子透かしが重畳して印刷されたマーカーから情報を読み取って、コンテンツを表示するコンテンツ表示装置であって、
電子透かしのコードとコンテンツとを紐付けて記憶する記憶手段と、
前記マーカーを撮影する撮影手段と、
撮影した前記マーカーの電子透かしを識別してコードを抽出するコード抽出手段と、
抽出した前記コードに対応する前記コンテンツを取得するコンテンツ取得手段と、
撮影した前記マーカーのマーカー画像の位置を認識する位置認識手段と、
認識した前記位置に、取得した前記コンテンツを表示する表示手段と、
を備えることを特徴とするコンテンツ表示装置。
【請求項２】
前記マーカーは、同一の前記マーカー画像で、異なる前記電子透かしが重畳して印刷されたものが存在する
ことを特徴とする請求項１に記載のコンテンツ表示装置。
【請求項３】
前記マーカーは、同一の図柄で異なる色のマーカー画像で、前記色ごとに異なる前記電子透かしが重畳して印刷されたものが存在する
ことを特徴とする請求項１又は請求項２に記載のコンテンツ表示装置。
【請求項４】
前記コンテンツは、三次元画像であり、
前記位置認識手段は、さらに、前記マーカー画像の基準座標系からの変化を認識し、
前記表示手段は、認識した前記位置に、前記変化に応じて前記三次元画像を変形させて表示する
ことを特徴とする請求項１乃至請求項３のいずれかに記載のコンテンツ表示装置。
【請求項５】
マーカー画像及び電子透かしが重畳して印刷されたマーカーから情報を読み取って、コンテンツを表示する、電子透かしのコードとコンテンツとを紐付けて記憶する記憶手段を備えるコンピュータが行うコンテンツ表示方法であって、
前記マーカーを撮影する撮影ステップと、
撮影した前記マーカーの電子透かしを識別してコードを抽出するコード抽出ステップと、
抽出した前記コードに対応する前記コンテンツを取得するコンテンツ取得ステップと、
撮影した前記マーカーのマーカー画像の位置を認識する位置認識ステップと、
認識した前記位置に、取得した前記コンテンツを表示する表示ステップと、
を含むことを特徴とするコンテンツ表示方法。
【請求項６】
コンピュータを、マーカー画像及び電子透かしが重畳して印刷されたマーカーから情報を読み取って、コンテンツを表示するコンテンツ表示装置として機能させるためのプログラムであって、
コンピュータを、
電子透かしのコードとコンテンツとを紐付けて記憶する記憶手段、
前記マーカーを撮影する撮影手段、
撮影した前記マーカーの電子透かしを識別してコードを抽出するコード抽出手段、
抽出した前記コードに対応する前記コンテンツを取得するコンテンツ取得手段、
撮影した前記マーカーのマーカー画像の位置を認識する位置認識手段、
認識した前記位置に、取得した前記コンテンツを表示する表示手段、
として機能させるためのプログラム。
【請求項７】
マーカー画像及び電子透かしが重畳して印刷されたマーカーから情報を読み取って、コンテンツを表示するコンテンツ表示装置と、データベースサーバとが、ネットワークを介して接続されたコンテンツ表示システムであって、
前記データベースサーバは、
電子透かしのコードとコンテンツとを紐付けて記憶する記憶手段
を備え、
前記コンテンツ表示装置は、
前記マーカーを撮影する撮影手段と、
撮影した前記マーカーの電子透かしを識別してコードを抽出するコード抽出手段と、
抽出した前記コードに対応する前記コンテンツを、前記データベースサーバから取得するコンテンツ取得手段と、
撮影した前記マーカーのマーカー画像の位置を認識する位置認識手段と、
認識した前記位置に、取得した前記コンテンツを表示する表示手段と、
を備える
ことを特徴とするコンテンツ表示システム。
【発明の詳細な説明】
【技術分野】
【０００１】
本発明は、携帯端末等にコンテンツを表示するＡＲ技術に関し、特に、ＡＲマーカー及び電子透かしを利用してコンテンツを表示するＡＲ技術に関する。
【背景技術】
【０００２】
従来、カード等に印刷されたマーカーを読み取って、携帯端末の表示部にマーカーの情報に紐づけられた３次元画像等を表示するＡＲ（Ａｕｇｍｅｎｔｅｄ  Ｒｅａｌｉｔｙ；拡張現実）技術が開発されて、カードゲーム等に使用されている（例えば、非特許文献１、特許文献１）。
【０００３】
非特許文献１には、ＡＲ技術に使用されるマーカーの３次元位置検出方法等が記述されている。
また、特許文献１には、遊戯カードの裏面に印刷されたマーカーを読み取ってサッカーゲームを提供するシステムについて開示している。
【０００４】
更に、最近では、携帯端末のカメラにより撮影されたＡＲマーカーに紐づいた３次元画像を携帯端末の表示画面にＡＲマーカーの３次元位置に基づいた位置に表示するソフトウエアが提供されている。
【先行技術文献】
【特許文献】
【０００５】
【非特許文献１】加藤博一他、『マーカー追跡に基づく拡張現実感システムとそのキャリブレーション』、日本バーチャルリアリティ学会論文誌、Ｖｏｌ．４、Ｎｏ．４、１９９９年
【０００６】
【特許文献１】特開２００２−３０１２６４号公報
【発明の概要】
【発明が解決しようとする課題】
【０００７】
しかしながら、従来のＡＲ技術ではいくつかの問題点が存在する。
図５は、従来のＡＲ技術の表示例及びその問題点を示す図である。
【０００８】
図５（ａ）に示すように、ＡＲ技術では、例えば、ＡＲマーカー２ａをカメラで撮影すると、撮影されたマーカー上に当該ＡＲマーカー２ａに紐づいたＡＲ表示コンテンツ４ａが表示される。
【０００９】
しかしながら、従来のＡＲ技術では、図５（ｂ）に示すように、異なるＡＲ表示コンテンツ４ｂを表示したい場合には、異なる画像のＡＲマーカー２ｂを用意しなければならいという問題がある。
すなわち、表示させるコンテンツとＡＲマーカーが１対１に対応して紐づくようにＡＲマーカーとコンテンツを用意する必要があり、多くの種類のコンテンツを表示させたい場合には、ＡＲマーカーがその数必要であり、煩雑になるという問題がある。
【００１０】
また、図５（ｃ）のＡＲマーカー２ｃは、図５（ａ）のＡＲマーカー２ａと図柄は同一で色が異なる場合を示している。
このような場合、従来のＡＲ技術では、図柄のみをマーカーの判別に用いるため、表示されるＡＲ表示コンテンツ４ｃは、図５（ａ）のＡＲ表示コンテンツ４ａと同じものになり、例えば、ＡＲマーカーの色によって、色の異なる表示コンテンツ（表示させたいコンテンツ６ｃ）を表示させることができないという問題がある。
【００１１】
また、図５（ｄ）および図５（ｅ）は、ＡＲマーカー２ｄ、２ｅの一部分が異なる場合の例を示している。すなわち、両ＡＲマーカー２ｄ、２ｅの「大黒さん」の図柄は同様であるが、脇の「魚」の向きが図５（ｄ）のＡＲマーカー２ｄでは上向き、図５（ｅ）のＡＲマーカー２ｅでは下向きというような、ＡＲマーカーの図柄が一部分だけ異なる場合である。
【００１２】
従来のＡＲ技術では、携帯端末等でリアルタイムの画像認識技術を用いるため、このようなＡＲマーカーの微細な相違点を認識できないという問題がある。
そのため、例えば、図５（ｄ）のＡＲマーカー２ｄ（「魚」が上向き）では表示コンテンツ８ｄが、図５（ｅ）のＡＲマーカー２ｅ（「魚」が下向き）では表示コンテンツ８ｅが表示させるべき正しい表示コンテンツであるにもかかわらず、ＡＲマーカーが正しく認識できず、表示コンテンツ４ｄ、４ｅを混同して表示してしまうという問題がある。
【００１３】
本発明は、前述した問題点に鑑みてなされたものであり、その目的とするところは、類似ＡＲマーカーや色違いのＡＲマーカーを識別して多種のコンテンツを表示可能なコンテンツ表示装置等を提供することである。
【課題を解決するための手段】
【００１４】
前述した目的を達成するために、第１の発明は、マーカー画像及び電子透かしが重畳して印刷されたマーカーから情報を読み取って、コンテンツを表示するコンテンツ表示装置であって、電子透かしのコードとコンテンツとを紐付けて記憶する記憶手段と、前記マーカーを撮影する撮影手段と、撮影した前記マーカーの電子透かしを識別してコードを抽出するコード抽出手段と、抽出した前記コードに対応する前記コンテンツを取得するコンテンツ取得手段と、撮影した前記マーカーのマーカー画像の位置を認識する位置認識手段と、認識した前記位置に、取得した前記コンテンツを表示する表示手段と、を備えることを特徴とするコンテンツ表示装置である。
第１の発明によれば、マーカー画像に対応して表示するコンテンツを、マーカー画像に重畳されて印刷された電子透かしのコードに対応するコンテンツとするため、マーカー画像に関係なく、様々なコンテンツを柔軟に表示できる。
【００１５】
第１の発明の前記マーカーは、同一の前記マーカー画像で、異なる前記電子透かしが重畳して印刷されたものが存在することが望ましい。
これによって、同一のマーカー画像でも、異なるコンテンツを表示することができる。
【００１６】
第１の発明の前記マーカーは、同一の図柄で異なる色のマーカー画像で、前記色ごとに異なる前記電子透かしが重畳して印刷されたものが存在することが望ましい。
これによって、同一の図柄で異なる色のマーカー画像でも、異なるコンテンツを表示することができる。
【００１７】
第１の発明の前記コンテンツは、三次元画像であり、前記位置認識手段は、さらに、前記マーカー画像の基準座標系からの変化を認識し、前記表示手段は、認識した前記位置に、前記変化に応じて前記三次元画像を変形させて表示することが望ましい。
これによって、マーカー画像上に、三次元画像を柔軟に表示することができる。
【００１８】
第２の発明は、マーカー画像及び電子透かしが重畳して印刷されたマーカーから情報を読み取って、コンテンツを表示する、電子透かしのコードとコンテンツとを紐付けて記憶する記憶手段を備えるコンピュータが行うコンテンツ表示方法であって、前記マーカーを撮影する撮影ステップと、撮影した前記マーカーの電子透かしを識別してコードを抽出するコード抽出ステップと、抽出した前記コードに対応する前記コンテンツを取得するコンテンツ取得ステップと、撮影した前記マーカーのマーカー画像の位置を認識する位置認識ステップと、認識した前記位置に、取得した前記コンテンツを表示する表示ステップと、を含むことを特徴とするコンテンツ表示方法である。
第２の発明によれば、マーカー画像に対応して表示するコンテンツを、マーカー画像に重畳されて印刷された電子透かしのコードに対応するコンテンツとするため、マーカー画像に関係なく、様々なコンテンツを柔軟に表示できる。
【００１９】
第３の発明は、コンピュータを、マーカー画像及び電子透かしが重畳して印刷されたマーカーから情報を読み取って、コンテンツを表示するコンテンツ表示装置として機能させるためのプログラムであって、コンピュータを、電子透かしのコードとコンテンツとを紐付けて記憶する記憶手段、前記マーカーを撮影する撮影手段、撮影した前記マーカーの電子透かしを識別してコードを抽出するコード抽出手段、抽出した前記コードに対応する前記コンテンツを取得するコンテンツ取得手段、撮影した前記マーカーのマーカー画像の位置を認識する位置認識手段、認識した前記位置に、取得した前記コンテンツを表示する表示手段、として機能させるためのプログラムである。
第３の発明を、携帯端末等のコンピュータにインストールすることによって、第１の発明を得て、第２の発明に係る方法を実行することができる。
【００２０】
第４の発明は、マーカー画像及び電子透かしが重畳して印刷されたマーカーから情報を読み取って、コンテンツを表示するコンテンツ表示装置と、データベースサーバとが、ネットワークを介して接続されたコンテンツ表示システムであって、前記データベースサーバは、電子透かしのコードとコンテンツとを紐付けて記憶する記憶手段を備え、前記コンテンツ表示装置は、前記マーカーを撮影する撮影手段と、撮影した前記マーカーの電子透かしを識別してコードを抽出するコード抽出手段と、抽出した前記コードに対応する前記コンテンツを、前記データベースサーバから取得するコンテンツ取得手段と、撮影した前記マーカーのマーカー画像の位置を認識する位置認識手段と、認識した前記位置に、取得した前記コンテンツを表示する表示手段と、を備えることを特徴とするコンテンツ表示システムである。
【００２１】
以上のように、本発明のコンテンツ表示装置等は、同一のマーカー画像であっても異なる電子透かしを印刷することにより複数の異なる表示コンテンツを表示することを可能とし、また、類似したマーカー画像のマーカーや、色の異なるマーカー画像を、電子透かしのコードにより識別可能にする。
【発明の効果】
【００２２】
本発明により、類似ＡＲマーカーや色違いのＡＲマーカーを識別して多種のコンテンツを表示可能なコンテンツ表示装置等を提供することが可能になる。
【図面の簡単な説明】
【００２３】
【図１】本発明の実施の形態に係るコンテンツ表示装置１の構成例を示す図
【図２】カメラ付き端末３のハードウエア構成例を示すブロック図
【図３】コンテンツ表示装置１の処理の流れを示すフローチャート
【図４】コンテンツ表示装置１の表示例を示す図
【図５】従来のＡＲ技術の表示例及びその問題点を示す図
【発明を実施するための形態】
【００２４】
以下、添付図面に基づいて、本発明の実施の形態に係るコンテンツ表示装置１の好適な実施形態について詳細に説明する。
【００２５】
図１は、本発明の実施の形態に係るコンテンツ表示装置１の構成例を示す図である。
コンテンツ表示装置１は、例えば、カメラ付き端末３と、電子透かし入りマーカー５、データベース７等で構成される。
【００２６】
電子透かし入りマーカー５は、例えば、非特許文献１または特許文献１等で開示されているＡＲマーカーに、電子透かしを重畳して印刷したマーカーである。
図１に示すように、電子透かし入りマーカー５は、マーカーの三次元位置を検出するための枠（黒の枠部分）と、その内側の文字等の絵柄からと、見た目には不可視または見えにくい電子透かし（不図示）から成る。
図１の例では、三次元位置検出用の枠があるが、この枠はなく絵柄のみであってもよい。その場合、絵柄から、三次元位置が検出される。
【００２７】
電子透かしは、例えば、米Ｄｉｇｉｍａｒｃ  Ｃｏｒｐｏｒａｔｉｏｎの電子透かし技術（例えば、特表２００２−５１１６８５号公報、特開２００５−３２８５２８号公報）を使用し、例えば１００ビットのコード（誤り符号コードを含む）をサブリミナリ符号化し、電子透かし入りマーカー５内に設けられた複数の領域の明るさ（又は反射率）をわずかに変化させて印刷することにより実現する。
【００２８】
カメラ付き端末３は、例えば、タブレット端末、スマートフォン、カメラ付き携帯電話等の端末であるが、カメラ機能が付与されたパーソナルコンピュータ等のコンピュータであってもよい。
カメラ機能により、電子透かし入りマーカー５を撮像し、カメラ付き端末３に取り込む。
【００２９】
カメラ付き端末３の記憶部には、電子透かし入りマーカー５を識別するための識別プログラムと、識別結果に紐づく表示コンテンツ９を表示する表示プログラムが格納されており、このプログラムにより、カメラ付き端末３のディスプレイに表示コンテンツ９が表示される。
【００３０】
データベース７には、電子透かしの識別コードと表示コンテンツ等とが対応付けられて、予め格納されている。ＡＲマーカーの絵柄をデータベース７に格納するようにしてもよい。
データベース７は、カメラ付き端末３に内蔵してもよいし、外部のデータベース・サーバ等に設置し、無線または有線のネットワークでカメラ付き端末３に接続されるようにしてもよい。
【００３１】
図１（ａ）及び図１（ｂ）に示すように、カメラ付き端末３により電子透かし入りマーカー５の電子透かしのコードが識別されると、カメラ付き端末３の表示部に、データベース７に格納されている電子透かしのコードに紐づいた表示コンテンツ９が表示される。
【００３２】
図１に示すような同一のＡＲマーカーの図柄の電子透かし入りマーカー５であっても、不可視の異なるコードの電子透かしを印刷することにより、図１（ａ）及び図１（ｂ）に示すように、異なる表示コンテンツ９ａ、９ｂを表示される。
【００３３】
図２は、カメラ付き端末３のハードウエア構成例を示すブロック図である。
図２のハードウエア構成は一例であり、異なる構成を採ることが可能である。カメラ付き端末３は、例えば、パーソナルコンピュータ等で構成することが可能である。
【００３４】
カメラ付き端末３は、制御部３１、記憶部３２、メディア入出力部３３、通信制御部３４、入力部３５、表示部３６、周辺機器Ｉ／Ｆ部３７等が、バス３８を介して接続される。周辺機器Ｉ／Ｆ部３７にはカメラ３９が接続されている。
【００３５】
制御部３１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成される。
【００３６】
ＣＰＵは、記憶部１２、ＲＯＭ、記録媒体等に格納されるプログラムをＲＡＭ上のワークメモリ領域に呼び出して実行し、バス３８を介して接続された各装置を駆動制御し、制御装置１５の処理を実行する。ＲＯＭは、不揮発性メモリであり、カメラ付き端末３のブートプログラムやＢＩＯＳ等のプログラム、データ等を恒久的に保持している。ＲＡＭは、揮発性メモリであり、記憶部３２、ＲＯＭ、記録媒体等からロードしたプログラム、データ等を一時的に保持するとともに、制御部３１が各種処理を行う為に使用するワークエリアを備える。
【００３７】
記憶部３２は、ＨＤＤ（ハードディスクドライブ）等であり、制御部３１が実行するプログラム、プログラム実行に必要なデータ、ＯＳ（オペレーティングシステム）等が格納される。プログラムに関しては、ＯＳ（オペレーティングシステム）に相当する制御プログラムや、後述するコンテンツ表示装置１が実行する電子透かし入りマーカー５の識別処理や表示コンテンツの表示処理等のアプリケーションプログラムが格納されている。これらの各プログラムコードは、制御部３１により必要に応じて読み出されてＲＡＭに移され、ＣＰＵに読み出されて各種の手段として実行される。
【００３８】
メディア入出力部３３（ドライブ装置）は、データの入出力を行い、例えば、ＣＤドライブ（−ＲＯＭ、−Ｒ、−ＲＷ等）、ＤＶＤドライブ（−ＲＯＭ、−Ｒ、−ＲＷ等）等のメディア入出力装置を有する。
通信制御部３４は、通信制御装置、通信ポート等を有し、ネットワークを介して、他の装置との通信制御を行う。ネットワークは、有線、無線を問わない。
【００３９】
入力部３５は、データの入力を行い、例えば、タッチパネル、キーボード、マウス等のポインティングデバイス、テンキー等の入力装置を有する。
表示部３６は、液晶パネル等のディスプレイ装置である。
【００４０】
周辺機器Ｉ／Ｆ（インタフェース）部３７は、周辺機器を接続させるためのポートである。例えばカメラ３９等の周辺機器が接続され、周辺機器Ｉ／Ｆ（インタフェース）部３７を介してデータの送受信を行う。周辺機器Ｉ／Ｆ部３７は、ＵＳＢ、ＩＥＥＥ１３９４、ＲＳ−２３２Ｃ等で構成され、周辺機器との接続形態は有線、無線を問わない。
図２において、カメラ３９は周辺機器Ｉ／Ｆ部３７に接続されているが、直接、バス３８に接続されるようにしてもよい。
バス３８は、各装置間の制御信号、データ信号等の授受を媒介する経路である。
【００４１】
データベース７は、カメラ付き端末３の記憶部３２に内蔵するようにしてもよいし、外部のデータベース・サーバ等にデータベース７を設置し、カメラ付き端末３の通信制御部３４を介してデータベース７に接続するようにしてもよい。
【００４２】
なお、データベース７を外部のデータベース・サーバに備える場合には、データベース・サーバのハードウェア構成例は、カメラ付き端末３のカメラ３９を除いた構成例とほぼ同一であるので、詳細な説明を省略する。
【００４３】
図３は、コンテンツ表示装置１の処理の流れを示すフローチャートである。
まず、カメラ付き端末３に格納されているコンテンツ表示のプログラムを起動されると、カメラ付き端末３の制御部３１はカメラ３９の機能が稼働し、電子透かし入りマーカー５が撮像される（ステップ１０１）。
【００４４】
次に、カメラ付き端末３の制御部３１は、撮像画像を処理し、電子透かしコードを認識する（ステップ１０２）。
撮像画像から電子透かしコードを認識する方法としては、例えば、特開２００５−３２８６２８号公報等に記載の電子透かしコードの復号化方法を使用すればよい。
【００４５】
次に、カメラ付き端末３の制御部３１は、データベース７を検索し、電子透かしコードに紐づいたコンテンツを抽出する（ステップ１０３）。コンテンツは、二次元または三次元の画像であり、データベース７に、電子透かしコードに紐づいて格納されている。
コンテンツは、画像の他、動画やホームページ等のサイトのＵＲＬ（Ｕｎｉｆｏｒｍ  Ｒｅｓｏｕｒｃｅ  Ｌｏｃａｔｏｒ）等であってもよい。
【００４６】
次に、カメラ付き端末３の制御部３１は、撮像画像上のＡＲマーカーを認識する（ステップ１０４）。ここで、撮像方向によるＡＲマーカーの撮像画像の形状の変化を認識し、例えば非特許文献１の手法によりＡＲマーカーの位置状況を把握する。
すなわち、図１に示したような枠付きのＡＲマーカーを持つ電子透かし入りマーカー５であれば、カメラ３９により真上から撮像すれば、ＡＲマーカーの枠が正方形になるが、斜め上から撮像すれば、長方形乃至は平行四辺形等の形状に変化することを元に、例えば、ＡＲマーカーの基準座標系からの変化を認識し、ＡＲマーカーの位置状況を把握する。
【００４７】
次に、カメラ付き端末３の制御部３１は、ステップ１０３で抽出したコンテンツを、ステップ１０４で抽出したＡＲマーカーの位置状況に応じて表示部３６に表示する（ステップ１０５）。表示する際に、カメラ付き端末３の制御部３１は、位置状況に応じて、コンテンツである二次元または三次元の画像に対して、適宜回転、拡大縮小等の変形を行う。
【００４８】
図４は、本発明の実施形態のコンテンツ表示装置１によるコンテンツ表示例を示す図である。
図４（ａ）及び図４（ｂ）に示すように、同じＡＲマーカーであっても、異なる電子透かしが印刷されていることにより、異なる表示コンテンツが表示される。
すなわち、図４（ａ）では、コンテンツ表示装置１により、電子透かしａが印刷された電子透かし入りマーカー５ａを撮像して処理することにより、例えば円錐画像のコンテンツ９ａが表示されるのに対し、図４（ｂ）では、図４(ａ)と同じＡＲマーカーに電子透かしｂが印刷された電子透かし入りマーカー５ｂを処理することにより、直方体画像のコンテンツ９ｂが表示される。
【００４９】
このように、同じＡＲマーカーに異なる電子透かしを印刷された電子透かし入りマーカー５により、異なる表示コンテンツ９を表示することが可能になる。
これは、ＡＲマーカーをコンテンツごとに作成する必要がないという利点があり、また、ＡＲマーカーが統一されており、ユーザがマーカーであることを認識しやすいという長所があり、また、同じＡＲマーカーでありながら、電子透かしの違いにより異なる複数のコンテンツ９を表示できるといいう長所を持つ。
【００５０】
図４（ｃ）は、図４（ａ）と同じ絵柄で異なる色のＡＲマーカーに電子透かしｃを印刷した電子透かし入りマーカー５ｃの場合を示している。
従来のＡＲ技術では、ＡＲマーカーの色を識別しないため、色が異なっても、図４（ａ）のＡＲマーカーと同一と判定され、同一の表示コンテンツ９ａが表示されたが、電子透かしｃを印刷することにより（電子透かし入りマーカー５ｃ）、異なる表示コンテンツ９ｃを表示することが可能になる。
すなわち、ＡＲマーカーの色ごとに同一の形状で異なる色のコンテンツを表示させることが可能になる。
【００５１】
以上に説明したように、ＡＲマーカーと電子透かしを組み合わせた電子透かし入りマーカー５を使用することにより、同一のＡＲマーカーの絵柄に対して複数のコンテンツを表示することが可能になり、また、ＡＲマーカーの色に応じた色のコンテンツを表示することが可能になる。
さらに、図５（ｄ）及び図５（ｅ）に示したように、ＡＲマーカーの絵柄の微小な違いを区別した異なるコンテンツを表示することが可能になる。
【００５２】
以上の説明では、電子透かしコードの抽出処理等のプログラムをカメラ付き端末３の記憶部３２に持たせていたが、例えば、カメラ付き端末３とネットワーク等で接続可能なサーバ（不図示）にこれらのプログラム及びデータベース７を持たせることも可能である。
この場合、カメラ付き端末３で撮像した電子透かし入りマーカー５の撮像画像をサーバに送り、サーバが電子透かしコードを抽出してデータベース７を検索し、電子透かしコードに紐づくコンテンツを抽出して、コンテンツをカメラ付き端末３に送り、カメラ付き端末３がコンテンツを表示部３６に表示するようにすればよい。
【００５３】
また、以上の説明では、電子透かし入りマーカーの絵柄であるＡＲマーカーを位置状況の抽出にのみ使用したが（図３のステップ１０４、１０５）、ＡＲマーカーの絵柄と電子透かしコードの組み合せに紐づいたコンテンツを表示させるようにしてもよい。
【００５４】
この場合、データベース７にＡＲマーカーの絵柄と電子透かしコードの組み合せに紐づいてコンテンツを格納し、図３のステップ１０２の電子透かしコードの認識に後に、図３のステップ１０４のＡＲマーカーの認識処理を行い、その後に図３のステップ１０３のデータベース７の検索処理を行って、コンテンツを抽出すればよい。
【００５５】
以上に説明したように、本発明の実施の形態に係るコンテンツ表示装置１により、ＡＲマーカーと電子透かしを組み合わせた電子透かし入りマーカー５を使用して、統一したＡＲマーカーで、異なる電子透かしを印刷することにより多種の異なるコンテンツを表示することが可能になる。また、ＡＲマーカーの色の違いや絵柄の微小な相違を、異なる電子透かしを印刷することにより区別し、異なるコンテンツを表示することが可能になる。
【００５６】
以上、添付図面を参照しながら、本発明にコンテンツ表示装置１の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００５７】
１………コンテンツ表示装置
２………ＡＲマーカー
３………カメラ付き端末
４………ＡＲ表示コンテンツ
５………電子透かし入りマーカー
７………データベース
９………表示コンテンツ
【図１】
2014219822.tif 000003
【図２】
2014219822.tif 000004
【図３】
2014219822.tif 000005
【図４】
2014219822.tif 000006
【図５】
2014219822.tif 000007